(57)【要約】【課題】ハンカチ類によって花の形状を模して展示や包装をし、使用に際しては、そのままハンカチ類として使用できるものを提供せんとするもので、特に、ボリューム感に富んだ花の形状をなしたハンカチ類の展示包装用構造を提供せんとする。【解決手段】四角形のハンカチ１の対角線と略平行な複数の折り目線ａ、ｂにて、ハンカチ１が複数回折曲されることによってハンカチが帯状に形成され、この帯状のハンカチ１がその対角線の一端１２から他端１３に向けて巻回されたことによって花の形状に近似した形状とされたものであり、上記の折曲巻回の手段を解除することによってハンカチ類として使用できることを特徴とするハンカチ類の展示包装用構造。【選択図】          図３
0003128982.tif 000002
【実用新案登録請求の範囲】
【請求項１】
ハンカチ類を切断せずに四角形の形状を保ったまま、折曲と巻回との少なくとも何れか一方の手段によって花の形状に近似した形状とし、上記の折曲又は巻回の手段を解除することによってハンカチ類として使用できるものであることを特徴とするハンカチ類の展示包装用構造。
【請求項２】
四角形のハンカチ類の対角線と略平行な複数の折り目線にて、ハンカチ類が複数回折曲されることによってハンカチ類が帯状に形成され、この帯状のハンカチ類がその対角線の一端から他端に向けて巻回されたことによって花の形状に近似した形状とされたものであることを特徴とする請求項１記載のハンカチ類の展示包装用構造。
【請求項３】
四角形のハンカチ類の対角線と略平行な複数の折り目線にてハンカチ類を複数回折曲されることによって帯状部が形成されると共に、このハンカチ類の角部であって上記の対角線とは異なる位置の角部が帯状部の外側に位置させされたことによって、帯状部の長手方向と交わる方向にはみ出したはみ出し部が形成され、
この折曲されたハンカチ類が帯状部の対角線の一端から他端に向けて巻回されることによって、花の形状に近似した形状の花本体部と、花本体部からはみ出したはみ出し部とが形成され、
上記のハンカチ類と異なる別個のシート状体が、上記のはみ出し部を中心にして、上記の花本体部の外側に巻回されたものであることを特徴とする請求項２記載のハンカチ類の展示包装用構造。
【考案の詳細な説明】
【技術分野】
【０００１】
本願考案は、ハンカチ又はタオルからなるハンカチ類を展示したり、販売時に包装したりする時の構造に関するもである。
【背景技術】
【０００２】
従来より、ハンカチ類を展示や包装する時に、種々の形状に畳むことが行われている。たとえば、特許文献１のように、公知の小方形タオルハンカチを等幅毎折畳みして細長形折畳み体を設け、且つ該折畳み体を長手方向に断面渦巻き状に巻回すると共に、その中央部外周に草花、蕾、果実等装飾体の実物若しくは造花を介在してリボンテープで巻着した小ケーキ本体を形成し、然して該小ケーキ本体を上記装飾体を上面として台皿上に横置すると共に該台皿上に上記小ケーキ本体を被覆する透明なガラス又は合成樹脂製ドーム状カバー体を被架したタオルハンカチによる小ケーキ形飾り物が知られている。
【０００３】
【特許文献１】実公平６−１５５５７号公報
【考案の開示】
【考案が解決しようとする課題】
【０００４】
ところが、この特許文献１はハンカチをケーキの形状にした飾り物に関するものであり、タオルハンカチを等幅毎折畳みするに際しては、折り畳みの折り目線を、ハンカチの一辺と平行にして折り畳むものであった。そのため、ケーキの形状としてはともかく、薔薇などの花の形状としてはボリューム感に欠けるものであった。
本願考案は、ハンカチ類によって花の形状を模して展示や包装をし、使用に際しては、そのままハンカチ類として使用できるものを提供せんとする。本願の請求項２に係る考案は、ボリューム感に富んだ花の形状をなしたハンカチ類の展示包装用構造を提供せんとするものである。さらに、本願の請求項３に係る考案は、巻回したハンカチ類とは別個のシート状体を、さらに巻回することによって、花のボリューム感を増やしたり、葉を加えたり、花をラッピングした形状を模すことができ、しかも、その際に、中央で巻回されたハンカチ類と外側のシート状体との一体性を向上させることができるようにしたハンカチ類の展示販売構造を提供せんとするものである。
【課題を解決するための手段】
【０００５】
そこで本願の第１の考案は、ハンカチ１を切断せずに四角形の形状を保ったまま、折曲と巻回との少なくとも何れか一方の手段によって花の形状に近似した形状とし、上記の折曲又は巻回の手段を解除することによってハンカチ１として使用できるものであることを特徴とするハンカチの展示包装用構造。
請求項２に係る考案は、四角形のハンカチ１の対角線と略平行な複数の折り目線ａ、ｂにて、ハンカチ１が複数回折曲されることによってハンカチが帯状に形成され、この帯状のハンカチ１がその対角線の一端１２から他端１３に向けて巻回されたことによって花の形状に近似した形状とされたものであることを特徴とする請求項１記載のハンカチの展示包装用構造を提供する。
請求項３に係る考案は、四角形のハンカチ１の対角線と略平行な複数の折り目線ａ、ｂにてハンカチを複数回折曲されることによって帯状部１４が形成されると共に、このハンカチの角部であって上記の対角線とは異なる位置の角部１３が帯状部１４の外側に位置させされたことによって、帯状部１４の長手方向と交わる方向へはみ出したはみ出し部１５が形成され、この折曲されたハンカチが帯状部１４の対角線の一端１１から他端１２に向けて巻回されることによって、花の形状に近似した形状の花本体部１６と、花本体部１６からはみ出したはみ出し部１５とが形成され、上記のハンカチ１と異なる別個のシート状体２、３が、上記のはみ出し部１５を中心にして、上記の花本体部１６の外側に巻回されたものであることを特徴とする請求項２記載のハンカチの展示包装用構造を提供することにより、上記の課題を解決する。
【考案の効果】
【０００６】
本願の請求項１に係る考案は、ハンカチ類によって花の形状を模して展示や包装をし、使用に際しては、そのままハンカチ類として使用できるハンカチ類の展示販売構造を提供することができたものである。
本願の請求項２に係る考案は、請求項１の効果に加えて、よりボリューム感に富んだ花の形状をなしたハンカチ類の展示包装用構造を提供することができたものである。
本願の請求項３に係る考案は、巻回したハンカチ類とは別個のシート状体を、さらに巻回することによって、花のボリューム感を増やしたり、葉を加えたり、花をラッピングした形状を模すことができたものである。しかも、その際に、はみ出し部が設けられていることによって、外側のシートの巻回作業を円滑に行うことができ、しかも中央で巻回されたハンカチ類と外側のシート状体との一体性を向上させることができたものである。
【考案を実施するための最良の形態】
【０００７】
以下、図面に基づき本願考案の実施の形態を説明する。
図１乃至図７は、本願考案の第１の実施の形態に係るハンカチ類の展示包装用構造の製作工程の説明図である。
【０００８】
この実施の形態にかかるハンカチ類の展示包装用構造は、ハンカチ１と２枚の包装紙２、３とから構成されているもので、薔薇の花のブーケを模した形状をなすものであり、このハンカチ１は切断されることなく、折曲と巻回によって花の形状を模したものであるため、折曲巻回を解除することによってハンカチ類として使用できるものである。
【０００９】
その構造を製造工程の順に説明する。
正方形のハンカチ１を、その対角線と略平行な複数の折り目線にて折曲する。この折曲は、図１、図２に示すように、谷折り目線ａと山折り目線ｂとを交互に繰り返すもので、そのうちの１本はハンカチ１の対向する頂点１１、１２を結ぶものである。但し、数学的に正確に頂点を通る必要はなく、実質的に対向する頂点１１、１２を結ぶものであればよい。
【００１０】
この折曲は、複数回（望ましくは折り目線の数で６〜１６回）なされることによって帯状部１４が形成されると共に、このハンカチ１の頂点であって上記の対角線の頂点１１、１２とは異なる位置の頂点１３が帯状部１４の外側に位置させされたことによって、帯状部１４の長手方向と交わる方向にはみ出した、はみ出し部１５が形成される（図２（Ｂ））。
【００１１】
次に、図３に示すように、この帯状部１４は、その対角線の一端の頂点１１から他方の頂点１２に向けて、渦巻き状に巻回される。これにより、帯状部１４が渦巻き状に巻回されて花の形状に近似した形状の花本体部１６と、花本体部１６からはみ出したはみ出し部１５とが形成される（図３（Ｂ）、図４（Ａ））。なお、巻回の終端は、ピンなどで止めるようにするか、生地の間に押し込むようにして止めるなど、適宜方法で固定すればよい。
【００１２】
次に、ハンカチ１と異なる別個のシート状体２が、上記のはみ出し部１５を中心にして、上記の花本体部１６の外側に巻回される（図４（Ｂ）、図５）。詳しくは、シート状体２として、緑色の色紙を用いて、対角線上にはみ出し部１５及び花本体部１６を置く。そして、シート状体２の左右で、はみ出し部１５及び花本体部１６の巻回し、必要に応じて輪ゴムなどで止める。さらに、大きなシート状体３を用いて、シート状体２の外側を巻回するようにしてもよく（図５〜図７）、最後に形を整えて薔薇の形を形成する（図７（Ｂ））。これらのシート状体２、３は、紙の他、合成樹脂シート、ハンカチやタオルなどの布を始めとする適宜シート状体とすればよい。このように、はみ出し部１５が設けられているため、はみ出し部１５が茎のようになり、外側のシート２、３の巻回作業を円滑に行うことができ、しかも中央で巻回されたハンカチ１と外側のシート状体２、３との一体性を向上させることができる。
【００１３】
次に図８、図９は、本願考案の第２の実施の形態に係るハンカチ類の展示包装用構造の製作工程の説明図である。
この例にあっては、はみ出し部１５を設けずに実施したものである。具体的には、はみ出汁部１５を設けずに、７本の山と谷を折り目線ａ、ｂを折る（図８（Ａ）、図８（Ｂ））。これらの折り目線ａ、ｂを折ることによって、全体を帯状部１４とし、その対角線の一端の頂点１１から他方の頂点１２に向けて、渦巻き状に巻回して端部を先の例と同様の方法にて係止する。以上によって、薔薇の花の形状が完成するものであるが、きつく巻回するよりも、緩く巻回する方が、花の感じを表現することができる。
【図面の簡単な説明】
【００１４】
【図１】（Ａ）（Ｂ）は、本願考案の第１の実施の形態に係るハンカチ類の展示包装用構造の製作工程の説明図である。
【図２】（Ａ）（Ｂ）は、本願考案の第１の実施の形態に係るハンカチ類の展示包装用構造の製作工程の説明図である。
【図３】（Ａ）（Ｂ）は、本願考案の第１の実施の形態に係るハンカチ類の展示包装用構造の製作工程の説明図である。
【図４】（Ａ）（Ｂ）は、本願考案の第１の実施の形態に係るハンカチ類の展示包装用構造の製作工程の説明図である。
【図５】本願考案の第１の実施の形態に係るハンカチ類の展示包装用構造の製作工程の説明図である。
【図６】本願考案の第１の実施の形態に係るハンカチ類の展示包装用構造の製作工程の説明図である。
【図７】（Ａ）（Ｂ）は、本願考案の第１の実施の形態に係るハンカチ類の展示包装用構造の製作工程の説明図である。
【図８】（Ａ）（Ｂ）は、本願考案の第２の実施の形態に係るハンカチ類の展示包装用構造の製作工程の説明図である。
【図９】（Ａ）（Ｂ）は、本願考案の第２の実施の形態に係るハンカチ類の展示包装用構造の製作工程の説明図である。
【符号の説明】
【００１５】
１    ハンカチ
１１  頂点
１２  頂点
１４  帯状部
１５  はみ出し部
１６  花本体部
ａ    折り目線
ｂ    折り目線
【図１】
0003128982.tif 000003
【図２】
0003128982.tif 000004
【図３】
0003128982.tif 000005
【図４】
0003128982.tif 000006
【図５】
0003128982.tif 000007
【図６】
0003128982.tif 000008
【図７】
0003128982.tif 000009
【図８】
0003128982.tif 000010
【図９】
0003128982.tif 000011